(57)【要約】【課題】悪臭及び菌の発生源である集塵室を安全で効率よく脱臭及び殺菌を行うことができる電気掃除機を提供する。【解決手段】集塵袋７を有すると共に電動送風機５を内蔵する掃除機本体１と、該掃除機本体１に形成され、前記集塵袋７に連通するホース接続口１ａと、該ホース接続口１ａに接続されるホース２と、該ホース２に接続される連結パイプ３、３と、該連結パイプ３、３に接続される吸込具４とを備え、前記掃除機本体１に、前記電動送風機５の排気の少なくとも一部をホース接続口１ａに導く排気路Ｂを形成し、前記ホース２と、前記連結パイプ３、３と、前記吸込具４とに、前記掃除機本体１の排気路Ｂに連通する排気路Ｂを形成すると共に、前記掃除機本体１の排気路ＢにオゾンＺを供給するオゾン発生装置２０を設け、前記ホース接続口１ａには、前記吸込具４から前記集塵袋７へ至る吸気路Ａと排気路Ｂとを連通するバイパス通路Ｃを形成した。【選択図】        図３
2004290621.tif 000002
【特許請求の範囲】
【請求項１】
集塵部を有すると共に電動送風機を内蔵する掃除機本体と、該掃除機本体に形成され、前記集塵部に連通する接続口と、該接続口に接続される吸込具とを備え、前記掃除機本体に、前記電動送風機の排気の少なくとも一部を接続口に導く排気路を形成し、前記吸込具に、前記掃除機本体の排気路に連通する排気路を形成すると共に、前記掃除機本体の排気路にオゾンを供給するオゾン発生装置を設け、前記接続口には、前記吸込具から前記集塵部へ至る吸気路と排気路とを連通するバイパス通路を形成したことを特徴とする電気掃除機。
【請求項２】
集塵部を有すると共に電動送風機を内蔵する掃除機本体と、該掃除機本体に形成され、前記集塵部に連通する接続口と、該接続口に接続されるホースと、該ホースに接続される連結パイプと、該連結パイプに接続される吸込具とを備え、前記掃除機本体に、前記電動送風機の排気の少なくとも一部を接続口に導く排気路を形成し、前記ホースと、前記連結パイプと、前記吸込具とに、前記掃除機本体の排気路に連通する排気路を形成すると共に、前記掃除機本体の排気路にオゾンを供給するオゾン発生装置を設け、前記接続口には、前記吸込具から前記集塵部へ至る吸気路と排気路とを連通するバイパス通路を形成したことを特徴とする電気掃除機。
【請求項３】
前記オゾン発生装置は、前記電動送風機の動作の入切操作に連動して動作することを特徴とする請求項１または請求項２の電気掃除機。
【請求項４】
前記オゾン発生装置は、前記電動送風機の強弱運転切替操作に連動してオゾンの発生量が調整されることを特徴とする請求項１又は請求項２記載の電気掃除機。
【請求項５】
前記バイパス通路を開閉自在に閉塞する閉塞体を設けたことを特徴とする請求項１または請求項２記載の電気掃除機。
【請求項６】
前記閉塞体は、前記電動送風機の動作の入切操作に連動して動作することを特徴とする請求項５の電気掃除機。
【請求項７】
前記閉塞体は、前記電動送風機が所定時間動作した後、前記バイパス通路を閉塞することを特徴とする請求項６記載の電気掃除機。
【請求項８】
前記オゾン発生装置の動作を切り替えるオゾン切替モードを設け、前記閉塞体は、前記オゾン切替モードに連動することを特徴とする請求項５記載の電気掃除機。
【請求項９】
前記開閉塞体を、電磁弁により形成したことを特徴とする請求項５乃至請求項８記載の電気掃除機。
【請求項１０】
前記閉塞体を、モータにより開閉操作するよう構成したことを特徴とする請求項５乃至請求項８記載の電気掃除機。
【請求項１１】
前記排気路の内面に帯電防止のためのコーティングを形成したことを特徴とする請求項１乃至請求項１０記載の電気掃除機。
【発明の詳細な説明】
【０００１】
【発明の属する技術分野】
本願発明は、電気掃除機に係わり、特に掃除機本体内の集塵室に捕集された塵埃に含まれる菌の殺菌及び臭気の脱臭を処理する電気掃除機に関するものである。
【０００２】
【従来の技術】
従来より、掃除機本体に内蔵された電動送風機を駆動させると、負圧により吸込具等から空気と共に塵埃が吸い込まれ、この塵埃を掃除機本体に設けられた集塵室にて捕集する電気掃除機が知られている。
【０００３】
ところで、集塵室に捕集された塵埃には、ダニ、カビ、細菌等の生物が含まれているので、これら生物による悪臭が集塵室で発生し、使用者に不快感を与えていた。また、電動送風機からの排気が排気口から外部に排出される際、排気口にフィルターを設けていても、ダニ、カビ、細菌等が一緒に排出されてしまい、衛生上好ましくないという問題があった。
【０００４】
このような問題を解決するために、例えば特許文献１に記載された電気掃除機においては、集塵室への塵埃吸込口にオゾン発生手段を設けて、発生したオゾンを集塵室の集塵袋内に吸い込ませることにより、集塵袋内で発生する悪臭を消臭すると共に、集塵袋内の殺菌を行うことができる構成となっている。
【０００５】
しかしながら、特許文献１の電気掃除機では、オゾン発生手段で発生したオゾンは、集塵袋を通過した後、掃除機本体の後方に形成された排気口から排出されるため、オゾンが臭い分子や菌と接する距離及び時間が短く、十分な脱臭及び殺菌ができないという問題があった。また、確実に脱臭及び殺菌処理を行うために、オゾンの濃度を上げることも考えられるが、排気口から多量のオゾンが排出されるため、掃除機本体の周囲のオゾン濃度が高くなり人体へ悪影響を及ぼす危険があった。
【０００６】
【特許文献１】
実開平１−１１８７５０号公報（第１図）
【０００７】
【発明が解決しようとする課題】
本願発明は、このような課題を解決するためになされたものであり、悪臭及び菌の発生源である集塵室を安全で効率よく脱臭及び殺菌を行うことができる電気掃除機を提供することを目的とするものである。
【０００８】
【課題を解決するための手段】
上記のような目的を達成するために、集塵部を有すると共に電動送風機を内蔵する掃除機本体と、該掃除機本体に形成され、前記集塵部に連通する接続口と、該接続口に接続される吸込具とを備え、前記掃除機本体に、前記電動送風機の排気の少なくとも一部を接続口に導く排気路を形成し、前記吸込具に、前記掃除機本体の排気路に連通する排気路を形成すると共に、前記掃除機本体の排気路にオゾンを供給するオゾン発生装置を設け、前記接続口には、前記吸込具から前記集塵部へ至る吸気路と排気路とを連通するバイパス通路を形成したことを特徴とする。
【０００９】
また、集塵部を有すると共に電動送風機を内蔵する掃除機本体と、該掃除機本体に形成され、前記集塵部に連通する接続口と、該接続口に接続されるホースと、該ホースに接続される連結パイプと、該連結パイプに接続される吸込具とを備え、前記掃除機本体に、前記電動送風機の排気の少なくとも一部を接続口に導く排気路を形成し、前記ホースと、前記連結パイプと、前記吸込具とに、前記掃除機本体の排気路に連通する排気路を形成すると共に、前記掃除機本体の排気路にオゾンを供給するオゾン発生装置を設け、前記接続口には、前記吸込具から前記集塵部へ至る吸気路と排気路とを連通するバイパス通路を形成したことを特徴とする。
【００１０】
また、前記オゾン発生装置は、前記電動送風機の動作の入切操作に連動して動作することが好ましい。
【００１１】
また、前記オゾン発生装置は、前記電動送風機の強弱運転切替操作に連動してオゾンの発生量が調整されることが好ましい。
【００１２】
また、前記バイパス通路を開閉自在に閉塞する閉塞体を設けたことが好ましい。
【００１３】
また、前記閉塞体は、前記電動送風機の動作の入切操作に連動して動作することが好ましい。
【００１４】
また、前記閉塞体は、前記電動送風機が所定時間動作した時、前記バイパス通路を閉塞することが好ましい。
【００１５】
また、前記オゾン発生装置の動作を切り替えるオゾン切替モードを設け、前記閉塞体は、前記オゾン切替モードに連動することが好ましい。
【００１６】
また、前記開閉塞体を、電磁弁により形成したことが好ましい。
【００１７】
また、前記閉塞体を、モータにより開閉操作するよう構成したことが好ましい。
【００１８】
また、前記排気路の内面に帯電防止のためのコーティングを形成したことことが好ましい。
【００１９】
【発明の実施の形態】
本願発明の第１の実施例について、図面に基づき詳述する。
【００２０】
図１は、本願発明の第１実施例に係る電気掃除機の全体構成を示す側断面図、図２は、同掃除機本体の拡大側断面図、図３は、第１実施例の作用を示す掃除機本体の拡大側断面図、図４は、同掃除機の操作部を示す上面図である。
【００２１】
１は、本願発明が適用される床移動型掃除機の本体で、該掃除機本体１は、後述するホース２、連結パイプ３、３及び床用吸込具４などから構成され、前記掃除機本体１の一部、ホース２、連結パイプ３、３及び前記床用吸具４は、流路が二重構造となっており、吸気路Ａと排気路Ｂに分かれ、各部間で連通するように構成されている。
【００２２】
５は、前記掃除機本体１内の電動機室６に収納される吸引用の電動送風機で、前記電動機室６の前方には集塵袋７が収納される集塵室８が設けられ、前記床用吸込口４から吸い込まれた塵埃を前記集塵袋７に捕集できるようになっている。そして、前記電動機室６と前記集塵室８との間にはフィルター９が配置され、前記集塵袋７から漏れる微細な塵埃を捕集できるようになっている。
【００２３】
Ｂは、前記集塵室８及び前記電動機室６の下側に形成された排気路で、前記電動送風機５のファンカバーの排気口から排出される排気風が流れるように流れるようになっている。
【００２４】
１０は、前記掃除機本体１の両側に取り付けられる大径の後車輪で、前記掃除機本体１の底面に設けられた前車輪１１とによって、掃除の際に前記掃除機本体１を床面でスムーズに移動できるようになっている。
【００２５】
２は、内側ホース２ａと外側ホース２ｂの二重構造から成るホースで、一端にはホースジョイント部１２が接続され、他端には手元操作用のグリップ部１３が接続パイプ１３ａ、１３ｂを介して接続されている。そして、前記ホースジョイント部１２は、接続パイプ１２ａ、１２ｂが同心円状の二重構造で、内側の接続パイプ１２ａ両端が突出した構成となっており、その一端が前記集塵袋７の取付部１４に差し込まれて前記掃除機本体１のホース接続口１ａに接続されると共に、外側の前記接続パイプ１２ｂにより形成される排気路Ｂが連通部１５を介して前記掃除機本体１の排気路Ｂに連通するように構成されている。
【００２６】
１６は、前記電動送風機５の運転の切替操作を行う操作部で、前記電動送風機５の運転を停止する切スイッチ１７、吸引力の強弱を設定する弱スイッチ１８及び強スイッチ１９がそれぞれ設けられている。
【００２７】
３、３は、前記グリップ部１３の接続パイプ１３ａ、１３ｂに接続される連結パイプで、該連結パイプ３、３はそれぞれ、例えば断面略円形の吸気路Ａを形成する内側筒状部３ａと、該内側筒状部３ａと上部が一体に形成されると共に内側筒状部３ａを覆うようにして排気路Ｂを形成する外側筒状部３ｂとから構成されている。
【００２８】
２０は、前記掃除機本体１の排気路Ｂ内に設けられたオゾンＺを発生するオゾン発生装置で、該オゾン発生装置２０から放出されたオゾンＺは、前記電動送風機５から排出される排気風の流れによって排気路Ｂを移動する。
【００２９】
ところで、前記オゾン発生装置２０発生するオゾンＺの量は、前記電動送風機５の弱スイッチ１８、強スイッチ１９に連動して調整されるようになっており、本実施例では、弱スイッチ１８を操作した時は、２ｍｇ／時間のオゾンＺが発生し、強スイッチ１９を操作した時は、弱スイッチ１７操作時の２倍で、４ｍｇ／時間のオゾンＺが発生するようになっている。また、切スイッチ１７を操作した時、即ち、前記電動送風機５が停止した時は、前記オゾン発生装置２０も停止し、オゾンＺが全く発生しないように制御されている。
【００３０】
２１は、前記ホースジョイント部１２の内側の前記接続パイプ１２ａ外面に形成された開口部で、後述する閉塞体２２が開いている時、前記掃除機本体１の排気路Ｂと吸気路Ａとが連通し、図３に示すようなバイパス通路Ｃが形成されるようになっており、前記オゾン発生装置２０で発生したオゾンＺの一部が、前記電動送風機５から排出される排気風と共に前記開口部２１から前記吸気路Ａを通って、前記集塵袋７に流入するようになっている。
【００３１】
また、前記開口部２１は、図３に示すように前記集塵袋７の取付部１４近傍に形成されているので、前記オゾン発生装置２０から前記集塵袋７までの流路が短くなり、排気路Ｂを移動するオゾンＺの酸化能力を維持できるようになっている。
【００３２】
２２は、モータ２３の駆動によって前記開口部２１を開閉自在に閉塞する閉塞体で、該閉塞体２２は、前記電動送風機５の操作スイッチに連動して開閉が行われるようになっている。本実施例では、前記弱スイッチ１８及び前記強スイッチ１９を操作した時は、前記閉塞体２２は垂直状態に位置決めされて前記開口部２１が全開し、前記掃除機本体１の排気路Ｂと吸気路Ａとが連通し、バイパス通路Ｃを形成する。そして、前記切スイッチ１７を操作した時は、前記閉塞体２２は水平状態に位置決めされて前記開口部２１を全閉し、前記掃除機本体１の排気路Ｂと吸気路Ａとは遮断される。従って、動作遅れもなく確実に前記閉塞体２２の開閉動作を行うことができるように構成されている。
【００３３】
さて、上記のように構成された排気還流式掃除機の使用時には、前記電動送風機５の吸引によって、前記床用吸込具４から吸い込んだ塵埃の混じった空気が前記連結パイプ３、３の吸気路Ａ、前記ホース２の吸気路Ａを通って前記掃除機本体１内に取り込まれる。前記掃除機本体１内では、前記集塵袋７で塵埃が取り除かれ、更に前記フィルター９を介して清浄化された空気が前記電動送風機５に吸引される。
【００３４】
そして、前記電動送風機５からの排気風は、前記掃除機本体１の排気路Ｂに還流され、前記ホース２の排気路Ｂ、前記連結パイプ３、３の排気路Ｂを通って、前記床用吸込具４に還流し、この排気風により舞い上げられた塵埃及び新たに吸引される外気と共に、再び連結パイプ３、３の吸気路Ａへと循環する。
【００３５】
ここで、前記電動送風機５の駆動に連動して、前記モータ２３及び前記オゾン発生装置２０も駆動し、前記閉塞体２２が垂直位置になって前記開口部２１が全開状態となるとと共に、前記オゾン発生装置２０からオゾンＺが放出される。この放出されたオゾンＺの一部は、前記電動送風機５から排出される排気風と共に前記開口部２１から前記吸気路Ａを通って、前記集塵袋７に入り込む。そして、オゾンＺが前記集塵袋７を通過する際、オゾンＺの酸化作用によって前記集塵袋７及び集塵室８内の悪臭が脱臭されると共に、塵埃に含まれるダニ、カビ、細菌等の殺菌処理も行われる。
【００３６】
前記集塵袋７及び前記集塵室８で酸化をしなかったオゾンＺは、前記電動送風機５を通過した後、前記掃除機本体１の排気路Ｂに循環され、前記オゾン発生装置２０で発生するオゾンＺと合流し、再び前記開口部２１を通って前記集塵袋７に入り込む。
【００３７】
従って、オゾンＺが繰り返して前記集塵袋７及び前記集塵室８を通過するので、臭い分子や細菌と接する機会が多くなり、前記集塵袋７及び前記集塵室８内の悪臭を確実に脱臭できると共に、塵埃に含まれるダニ、カビ、細菌等の殺菌についても確実に行うことができる。
【００３８】
また、前記強スイッチ１９の操作時は、前記電動送風機５の吸引力が大きくなり、前記床用吸込具４から吸い込まれる塵埃の量の増加と共に臭い分子や細菌も増えるため、前記弱スイッチ１８の操作時に比べ、前記オゾン発生装置２０で発生するオゾンＺの量を多く発生するようにしている。（本実施例では、強スイッチ１９操作時は４ｍｇ／時間、弱スイッチ１８操作時は２ｍｇ／時間）。即ち、前記電動送風機５の吸引力に応じて、脱臭及び殺菌に必要なオゾンＺの量を適切に調整することができるので、前記集塵袋７及び集塵室８内の脱臭及び塵埃に含まれるダニ、カビ、細菌等の殺菌も確実に行うことができる。
【００３９】
尚、本実施例では、床移動型の電気掃除機に適用した場合について説明したが、例えば吸込具が掃除機本体に直接連結させるようなアップライト型（縦型）の掃除機にも適用しても構わない。
【００４０】
また、本実施例では、前記閉塞体２２を水平状態と垂直状態の２つの位置で決められるようにしたが、前記モータ２３の駆動を連続的に操作可能な操作レバーを前記グリップ１３の操作部１６に設け、前記閉塞体２２の位置決めを無段階で行い、前記開口部２１の開閉量を可変調整可能とすることで、吸込力を使用者の好みに応じて調整できるようにしても構わない。
【００４１】
また、本実施例では、前記弱スイッチ１８及び前記強スイッチ１９を操作した時、前記閉塞体２２は前記開口部２１を全開し、前記切スイッチ１７を操作した時、前記閉塞体２２は前記開口部２１を閉塞するようにしたが、前記弱スイッチ１８及び前記強スイッチ１９を操作してから所定時間経過した後、前記閉塞体２２で前記開口部２１を閉塞すると共に、前記オゾン発生装置２０の駆動を停止させるようにしても構わない。この動作によって、所定時間内に前記オゾン発生装置２０で発生したオゾンＺが前記集塵袋７及び前記集塵室８内の脱臭及び塵埃に含まれるダニ、カビ、細菌等の殺菌を行い、その後は、前記閉塞体２２で前記開口部２１を閉塞することで、前記吸気路Ａと前記排気路Ｂを連通するバイパス風路Ｃを遮断し、吸込力を向上させることができる。
【００４２】
また、前記掃除機本体１の排気路Ｂの内面に帯電防止のためのコーティングを形成しても構わない。このコーティングによって、オゾンＺが移動する際、オゾンＺが前記排気路Ｂの内面に帯電することを防止できるので、面前記オゾン発生装置２０で発生したオゾンＺを無駄なく前記集塵袋７に移動させることができ、オゾンの酸化能力を効率よく利用することができる。
【００４３】
次に本発明の第２実施例について、図５〜図７に基づき説明をする。尚、第１実施例と同一の構成については同一の図番を付し、異なる部分についてのみ説明をする。
【００４４】
図５は、本願発明の第２実施例に係る掃除機本体の拡大側断面図、図６は、第２実施例の作用を示す掃除機本体の拡大側断面図、図７は、同掃除機の操作部を示す上面図である。
【００４５】
３０は、前記電動送風機５及び前記オゾン発生装置２０の運転の切替操作を行う操作部で、前記電動送風機５の運転を停止する切スイッチ３１、吸引力の強弱を設定する弱スイッチ３２及び強スイッチ３３、前記オゾン発生装置２０でオゾンＺを発生させるオゾンモード入スイッチ３４、前記オゾン発生装置２０を停止するオゾンモード切スイッチ３５がそれぞれ設けられている。
【００４６】
前記オゾンモード入スイッチ３４は、前記電動送風機５の弱スイッチ３２もしくは強スイッチ３３のどちらかが操作されているときのみ操作することができるようになっている。即ち、前記電動送風機５が停止状態（切スイッチ３１が操作されている状態）の時は、前記オゾン発生装置２０でオゾンＺは発生されないように制御されており、これは、オゾンＺが前記掃除機本体１の排気路ＢにオゾンＺが放出されても、前記電動送風機５の排気風がなければ前記集塵袋７にオゾンＺを移動することができないので、無駄なオゾンＺを発生させることを防止するためである。
【００４７】
また、前記オゾンモード入スイッチ３５が操作された状態で、例えば、前記電動送風機５の吸引力の切り替えを弱スイッチ３２から強スイッチ３３にすると、弱スイッチ３２時では、前記オゾン発生装置２０で発生するオゾンＺの量が２ｍｇ／時間から４ｍｇ／時間に増えるように調整される。逆に、強スイッチ３３から弱スイッチ３４に切り替えると、オゾンＺの量が４ｍｇ／時間から２ｍｇ／時間に減少するように調整される。また、切スイッチ３１を操作すると前記オゾン発生装置２０も停止し、オゾンＺは全く発生されないように制御されている。
【００４８】
３６は、図６に示すように前記吸気路Ａと前記開口部２１と前記排気路Ｂを連通させて、バイパス通路Ｃを形成させる電磁弁で、該電磁弁３６は、前記操作部３０に設けられたオゾンモード入スイッチ３７、オゾンモード切スイッチ３８に連動するようになっている。
【００４９】
本実施例での前記電磁弁３６は、前記オゾンモード入スイッチ３７が操作された時には、コイル４２に電流が流れ、該コイル４２の磁力により前記スプリング４１の付勢力に抗して前記弁体４０が通風孔３９を開放する方向に移動して、バイパス通路Ｃを形成し、前記オゾンモード切スイッチ３８が操作された時には、通風孔３９を開閉する弁体４０がスプリング４１により前記通風孔３９を塞ぐ方向に付勢してバイパス通路Ｃを遮断するので、動作遅れもなく確実に前記通風孔３９の開閉動作を行うように構成されている。
【００５０】
上記のように構成された排気還流式掃除機の使用時には、前記電動送風機５の吸引によって、前記床用吸込具４から吸い込んだ塵埃の混じった空気が前記連結パイプ３、３の吸気路Ａ、前記ホース２の吸気路Ａを通って前記掃除機本体１内に取り込まれる。前記掃除機本体１内では、前記集塵袋７で塵埃が取り除かれ、更に前記フィルター９を介して清浄化された空気が前記電動送風機５に吸引される。
【００５１】
そして、前記電動送風機５からの排気風は、前記掃除機本体１の排気路Ｂに還流され、前記ホース２の排気路Ｂ、前記連結パイプ３、３の排気路Ｂを通って、前記床用吸込具４に還流し、この排気風により舞い上げられた塵埃及び新たに吸引される外気と共に、再び連結パイプ３、３の吸気路Ａへと循環する。
【００５２】
ここで、前記電動送風機５が駆動された状態（掃除状態）において、前記オゾンモード入スイッチ３４を操作すると、前記電磁弁３６の弁体４０が通風孔３９を開放するとと共に、前記オゾン発生装置２０からオゾンＺが放出される。この放出されたオゾンＺの一部は、前記電動送風機５から排出される排気風と一緒に前記通風孔３９、前記開口部２１、そして前記吸気路Ａを通って、前記集塵袋７に入り込む。そして、オゾンＺが前記集塵袋７を通過する際、オゾンＺの酸化作用によって前記集塵袋７及び前記集塵室８内の悪臭が脱臭されると共に、塵埃に含まれるダニ、カビ、細菌等の殺菌処理も行われる。
【００５３】
前記集塵袋７及び前記集塵室８で酸化をしなかったオゾンＺは、前記電動送風機５を通過した後、前記掃除機本体１の排気路Ｂに循環され、前記オゾン発生装置２０で発生するオゾンＺと合流し、再び前記開口部２１を通って前記集塵袋に入り込む。
【００５４】
従って、オゾンＺが繰り返して前記集塵袋７を通過するので、臭い分子や細菌と接する機会が多くなり、前記集塵袋７及び集塵室８内の悪臭を確実に脱臭できると共に、塵埃に含まれるダニ、カビ、細菌等の殺菌についても確実に行うことができる。
【００５５】
また、前記強スイッチ３３の操作時は、前記電動送風機５の吸引力が大きくなり、前記床用吸込具４から吸い込まれる塵埃の量の増加と共に臭い分子や細菌も増えるため、前記弱スイッチ３２の操作時に比べ、前記オゾン発生装置２０で発生するオゾンＺの量を多く発生するようにしている。即ち、前記電動送風機５の吸引力に応じて、脱臭及び殺菌に必要なオゾンＺの量を適切に調整することができるので、前記集塵袋７及び集塵室８内の脱臭及び塵埃に含まれるダニ、カビ、細菌等の殺菌も確実に行うことができる。
【００５６】
【発明の効果】
本発明の請求項１及び請求項２によると、掃除機本体の排気路にオゾンを供給するオゾン発生装置を設け、前記接続口には、前記吸込具から前記集塵部へ至る吸気路と排気路とを連通するバイパス通路を形成したので、オゾンが前記バイパス通路を通って前記集塵部を循環することで、臭い分子や細菌と接する機会が増え、オゾンの酸化作用により前記集塵部の悪臭を確実に脱臭できると共に、塵埃に含まれるダニ、カビ、細菌等の殺菌についても確実に行うことができる。また、前記バイパス通路により、前記オゾン発生装置から前記集塵部までの流路が短くなり、オゾンの酸化能力を維持させることができる等の効果を奏する。
【００５７】
本発明の請求項３によると、前記オゾン発生装置は、前記電動送風機の動作の入切操作に連動して動作するので、前記電動送風機が停止状態の時は、前記オゾン発生装置でオゾンは発生されないため、無駄なオゾンを発生させることを防止できるという効果を奏する。
【００５８】
本発明の請求項４によると、前記オゾン発生装置は、前記電動送風機の強弱運転切替操作に連動してオゾンの発生量が調整されるので、前記電動送風機の吸引力に応じて、脱臭及び殺菌に必要なオゾンの量を適切に調整することができるので、前記集塵部の脱臭及び塵埃に含まれるダニ、カビ、細菌等の殺菌も確実に行うことができる等の効果を奏する。
【００５９】
本発明の請求項５によると、前記バイパス通路を開閉自在に閉塞する閉塞体を設けたので、使用者の好みに応じて吸込力を調整することができる等の効果を奏する。
【００６０】
本発明の請求項６によると、前記閉塞体は、前記電動送風機の動作の入切操作に連動して動作するので、前記閉塞体の動作遅れがなく確実に前記バイパス通路の開閉動作を行うことができる等の効果を奏する。
【００６１】
本発明の請求項７によると、前記電動送風機が所定時間動作した後、前記バイパス通路を閉塞するので、
本発明の請求項８によると、前記オゾン発生装置の動作を切り替えるオゾン切替モードを設け、前記閉塞体は、前記オゾン切替モードに連動するので、前記集塵部の脱臭及び殺菌を使用者の好みに応じて選択ができると共に、前記オゾン切替モードを選択した時は、前記閉塞体の動作遅れがなく確実に前記バイパス通路の開閉動作を行うことができる等の効果を奏する。
【００６２】
本発明の請求項９によると、前記閉塞体を、電磁弁により形成したので、動作遅れもなく確実に前記バイパス通路の開閉動作を行うことができる等の効果を奏する。
【００６３】
本発明の請求項１０によると、前記閉塞体を、モータにより開閉操作するよう構成したので、前記流入口の開閉量を可変調整することができ、吸込力を調整することができる等の効果を奏する。
【００６４】
本発明の請求項１１によると、前記排気路の内面に帯電防止のためのコーティングを形成したので、前記オゾン発生装置で発生したオゾンを無駄なく前記集塵室に移動することができ、オゾンの酸化作用を効率よく利用することができる等の効果を奏する。
【図面の簡単な説明】
【図１】本願発明の第１実施例に係る電気掃除機の全体構成を示す側断面図である。
【図２】同掃除機本体の拡大側断面図である。
【図３】第１実施例の作用を示す掃除機本体の拡大側断面図である。
【図４】同掃除機の操作部を示す上面図である。
【図５】本願発明の第２実施例に係る掃除機本体の拡大側断面図である。
【図６】第２実施例の作用を示す掃除機本体の拡大側断面図である。
【図７】同掃除機の操作部を示す上面図である。
【符号の説明】
７            集塵袋
８            集塵室
５            電動送風機
１            掃除機本体
１ａ          ホース接続口
２            ホース
３、３        連結パイプ
４            吸込具
Ｂ            排気路
Ｚ            オゾン
２０          オゾン発生装置
Ａ            吸気路
Ｃ            バイパス通路
１９、３３    強スイッチ
１８、３２    弱スイッチ
１７、３５    切スイッチ
２１          開口部
２２          閉塞体
３７          オゾンモード入スイッチ
３８          オゾンモード切スイッチ
３６          電磁弁
２３          モータ
【図１】
2004290621.tif 000003
【図２】
2004290621.tif 000004
【図３】
2004290621.tif 000005
【図４】
2004290621.tif 000006
【図５】
2004290621.tif 000007
【図６】
2004290621.tif 000008
【図７】
2004290621.tif 000009